(57)【特許請求の範囲】
【請求項１】
吸収性物品が装着された際に、装着者の身体に面する内側表面およびその内側表面に対向する外側表面を有する吸収性物品であって、
液体浸透性表面シートと、
少なくとも一部分は液体不浸透性である、裏面シートと、
第１の側部前面パネルおよび第２の側部前面パネルを備える前面ウェスト部と、
第１の側部裏面パネルおよび第２の側部裏面パネルを備える裏面ウェスト部と、
前記前面ウェスト部と前記裏面ウェスト部との間に長手方向に延びて存在する股部と、
前記液体浸透性表面シートと前記裏面シートとの間に配設される吸収性アセンブリと、
前記第１の側部前面パネルに配設される第１の締結コンポーネントおよび前記第２の側部前面パネルに配設される第２の締結コンポーネントと、を備え、
前記第１の締結コンポーネントおよび前記第２の締結コンポーネントはそれぞれ、前記第１の側部裏面パネルおよび前記第２の側部裏面パネルにそれぞれ貼着されて前記装着者のウェストの周りに当該吸収性物品を締結し、前記第１の締結コンポーネントおよび前記第２の締結コンポーネントはそれぞれ、少なくとも１つの有効締結部および少なくとも１つの非有効締結部を有し、前記第１の締結コンポーネントおよび前記第２の締結コンポーネントは、フック要素を備え、前記少なくとも１つの非有効締結部は、前記第１の側部裏面パネルおよび前記第２の側部裏面パネルの対応する１つに貼着されることができない変更型フック要素によって形成される、
吸収性物品。
【請求項２】
前記少なくとも１つの有効締結部は、前記フック要素によって形成される、請求項１に記載の吸収性物品。
【請求項３】
前記少なくとも１つの非有効締結部は、前記フック要素の所定部分が前記第１および第２の側部裏面パネルの対応する１つに貼着されることを防止するために、前記フック要素の前記所定部分を覆う締結コンポーネント外側層を備える請求項１に記載の吸収性物品。
【請求項４】
前記第１および第２の締結コンポーネントは当該吸収性物品の前記内側表面上に配設される、請求項１に記載の吸収性物品。
【請求項５】
前記第１および第２の締結コンポーネントは当該吸収性物品の前記外側表面上に配設される、請求項１に記載の吸収性物品。
【請求項６】
前記第１および第２の締結コンポーネントは、前記第１の側部裏面パネルおよび前記第２の側部裏面パネルに直接貼着される、請求項１に記載の吸収性物品。
【請求項７】
前記第１および第２の締結コンポーネントは、ループレス締結システムを構成する、請求項１に記載の吸収性物品。
【請求項８】
前記液体浸透性表面シートは、不織布材料から作られる、請求項１に記載の吸収性物品。
【請求項９】
前記裏面シートは、内側フィルム層および外側不織布層で構成される、請求項１に記載の吸収性物品。
【請求項１０】
前記裏面シートの前記外側不織布層は、前記液体浸透性表面シートおよび前記吸収性アセンブリを超えて横方向に延びて存在し、前記第１および第２の側部前面パネルならびに前記第１および第２の側部裏面パネルを形成する、請求項９に記載の吸収性物品。
【請求項１１】
前記第１の側部前面パネル、前記第２の側部前面パネル、前記第１の側部裏面パネル、および前記第２の側部前面パネルは、前記裏面シートおよび前記液体浸透性表面シートと別々に形成される、請求項１に記載の吸収性物品。
【請求項１２】
前記吸収性アセンブリは、収集／分散層、およびその収集／分散層の下に配設された吸収性コアを備える、請求項１に記載の吸収性物品。
【発明の詳細な説明】
【技術分野】
【０００１】
本発明は、一般に、使い捨てオムツなどの使い捨て吸収性衣服に関し、より具体的には、側部シームを有する使い捨てオムツに関する。
【背景技術】
【０００２】
幼児および他の失禁する個人は、オムツなどの使い捨て吸収性物品を装着する。吸収性物品は、身体から排出された身体漏出液、特に尿を吸収し収容する。吸収性物品は、一方では装着者の身体から排出された物質を分離して収容するように、また他方では装着者の衣類および／または寝具類から排出された物質を分離して収容するように機能する。吸収性物品は、当技術分野ではよく知られており、通常、液体浸透性および蒸気浸透性材料、ならびに不浸透性材料の組合せから構築される。液体浸透性および蒸気浸透性材料、ならびに不浸透性材料はそれぞれ、オムツ内への液体の通過を可能にし、オムツから液体が出るのを防止する
「トレーニングパンツ（ｔｒａｉｎｉｎｇ  ｐａｎｔ）」として知られる１つのタイプの吸収性物品は、永久的にまたは取外し可能に共に縫い合わされ、パンツ状製品を提供する。取外し可能シームの場合、トレーニングパンツは、オムツまたはパンツとして適用されるように機能し得る。これは、依然としてトレーニング段階にある活動的な子供にとって特に有用である。その理由は、取外し可能シームによって、製品を下方向に引く必要がなく、製品のチェックが容易だからである。複雑な操作ではないが、取外し可能な側部シームの分離には、いくらかの努力がいる。その理由は、側部シームが互いから剥がされ得る前に、指持上げ部が最初に把持されなければならないためである。同様に、側部シームを再び貼着させるとき、側部シームを構成する締結コンポーネントが互いに適切に貼着されるようにユーザは気を付けなければならない。そうでなければ、トレーニングパンツは、使用中にほどける可能性がある。
【発明の概要】
【０００３】
したがって、容易に解かれて物品の内部をチェックでき、その後、容易に再び貼着されて使用し続け得る取外し可能な側部シームを有する吸収性物品が求められている。
本発明の例示的な実施形態による吸収性物品は、内側表面および外側表面を有する。内側表面は、吸収性物品が装着された際、装着者の身体に面する。外側表面は、内側表面に対向する。吸収性物品は、液体浸透性表面シートと、液体不浸透性裏面シートと、第１の側部前面パネルおよび第２の側部前面パネルを備える前面ウェスト部と、第１の側部裏面パネルおよび第２の側部裏面パネルを備える裏面ウェスト部と、前面ウェスト部と裏面ウェスト部との間に長手方向に延びて存在する股部と、表面シートと裏面シートとの間に配設された吸収性アセンブリと、第１の側部前面パネルに配設された第１の締結コンポーネントおよび第２の側部前面パネルに配設された第２の締結コンポーネントとを備え、第１の締結コンポーネントおよび第２の締結コンポーネントはそれぞれ、第１の側部裏面パネルおよび第２の側部裏面パネルにそれぞれ貼着されて装着者のウェストの周りに吸収性物品を締結する。第１の締結コンポーネントおよび第２の締結コンポーネントはそれぞれ、少なくとも１つの有効（ａｃｔｉｖｅ）締結部および少なくとも１つの非有効締結部を有する。
【０００４】
少なくとも１つの実施形態では、第１および第２の締結コンポーネントはフック要素を備える。
少なくとも１つの実施形態では、少なくとも１つの有効締結部は、フック要素によって形成される。
【０００５】
少なくとも１つの実施形態では、少なくとも１つの非有効締結部は、第１および第２の側部裏面パネルの対応する１つに貼着させることができない変更型（ａｌｔｅｒ）フック要素によって形成される。
【０００６】
少なくとも１つの実施形態では、少なくとも１つの非有効締結部は、フック要素を備えない。
少なくとも１つの実施形態では、少なくとも１つの非有効締結部は、フック要素の所定部分を覆う締結コンポーネント外側層を備え、その締結コンポーネント外側層は、フック要素の所定部分が、第１および第２の側部裏面パネルの対応する１つに貼着されることを防止する。
【０００７】
少なくとも１つの実施形態では、第１および第２の締結コンポーネントは、吸収性物品の内側表面上に配設される。
少なくとも１つの実施形態では、第１および第２の締結コンポーネントは、吸収性物品の外側表面上に配設される。
【０００８】
少なくとも１つの実施形態では、第１および第２の締結コンポーネントは、第１の側部裏面パネルおよび前記第２の側部裏面パネルに直接貼着される。
少なくとも１つの実施形態では、第１および第２の締結コンポーネントは、ループレス締結システムを構成する。
【０００９】
少なくとも１つの実施形態では、表面シートは、不織布材料から作られる。
少なくとも１つの実施形態では、裏面シートは、内側フィルム層および外側不織布層で構成される。
【００１０】
少なくとも１つの実施形態では、裏面シートの外側不織布層は、表面シートおよび吸収性アセンブリを超えて横方向に延びて存在し、第１および第２の側部前面パネルならびに第１および第２の側部裏面パネルを形成する。
【００１１】
少なくとも１つの実施形態では、第１の側部前面パネル、第２の側部前面パネル、第１の側部裏面パネル、および第２の側部前面パネルはそれぞれ、裏面シートおよび表面シートと別々に形成される。
【００１２】
少なくとも１つの実施形態では、吸収性アセンブリは、収集／分散層、およびその収集／分散層の下に配設された吸収性コアを備える。
本発明の他の特徴および利点は、以下の詳細な説明、添付図面、および添付の特許請求の範囲から容易に明らかになるであろう。
【００１３】
上述の目的及び関連する目的、本発明の特徴及び利点は、添付図面とともに、本発明の実例としての望ましい実施形態を参照してより理解されるであろう。
【図面の簡単な説明】
【００１４】
【図１】本発明の例示的な実施形態による吸収性物品の内側表面の平面図である。
【図２】本発明の例示的な実施形態による吸収性物品の外側表面の平面図である。
【図３】図１のラインＡ−Ａに沿った断面図である。
【図４】本発明の例示的な実施形態による締結された構成の吸収性物品の略平面図である。
【図５Ａ−５Ｃ】本発明の種々の例示的な実施形態の１つの実施形態による締結コンポーネントの側面図である。
【発明を実施するための形態】
【００１５】
本明細書で使用されるように、用語「吸収性物品（ａｂｓｏｒｂｅｎｔ  ａｒｔｉｃｌｅ）」は、身体漏出液を吸収し収容するデバイスを指し、より具体的には、装着者の身体に接してまたは近接して配置され、身体から排出される種々の漏出液を吸収し収容するデバイスを指す。用語「使い捨ての（ｄｉｓｐｏｓａｂｌｅ）」は、洗濯されるか、または、その他の方法で吸収性物品として回復されるかまたは再使用されることが意図されるのではなく、１回きりの使用後に廃棄され、好ましくは、環境適合方式で、再生利用されること、堆肥化されること、またはその他の方法で処理されることが意図される吸収性物品を述べるために本明細書で使用される。
【００１６】
図１および図２は、本発明の例示的な実施形態による、全体が参照数字１で指定される吸収性物品の平面図である。図１では、吸収性物品１の内側表面が上方を向いている。図２では、吸収性物品１の外側表面が上方を向いている。吸収性物品１は、前面ウェスト部１０、裏面ウェスト部２０、および股部３０を含む。股部３０は、前面ウェスト部１０と裏面ウェスト部２０との間で長手方向に延びて存在する。前面ウェスト部１０は、第１の側部前面パネル１２および第２の側部前面パネル１４を含む。裏面ウェスト部２０は、第１の側部裏面パネル２２および第２の側部裏面パネル２４を含む。以下でさらに詳細に説明されるように、第１の側部前面パネル１２は、第１の側部裏面パネル２２に貼着されてもよく、第２の側部前面パネル１４は、第２の側部裏面パネル２４に貼着されてもよく、そして、装着者のウェストの周りで引張り上げられるトレーニングパンツタイプの吸収性物品を形成してもよい。
【００１７】
図３は、図１のラインＡ−Ａに沿った断面図である。図３に示すように、吸収性物品は、裏面シート６０および表面シート９０を含む層状構造を有する。吸収性アセンブリ７０が、裏面シート６０と表面シート９０との間に配設される。吸収性アセンブリ７０は、収集／分散層７２および吸収性層７４を含む。例示的な実施形態では、裏面シート６０の所定部分は、吸収性物品１の他の層を超えて延びて存在して、第１および第２の側部前面パネル１２、１４ならびに第１および第２の側部後面パネル２２、２４を形成する。しかし、本発明の他の例示的な実施形態では、第１および第２の側部前面パネル１２、１４ならびに第１および第２の側部後面パネル２２、２４は、表面シート９０の延長部、裏面シート６０および表面シート９０の両方の延長部によって、または、裏面シート６０と表面シート９０との一方または両方で他の材料を層状化することによって形成されてもよいことが理解されるべきである。なお他の例示的な実施形態では、第１および第２の側部前面パネル１２、１４ならびに第１および第２の側部後面パネル２２、２４は、裏面シート６０および表面シート９０と別々に形成されてもよい。第１および第２の側部前面パネル１２、１４ならびに第１および第２の側部後面パネル２２、２４は、通気性、非通気性、弾性、非弾性、液体浸透性、液体非浸透性にされてもよく、または、側部パネルを形成するために使用される特定の材料および構造に応じて、任意の他の所望の特性を含んでもよい。
【００１８】
図１に示すように、前面ウェスト部１０は、前面ウェストゴム生地部１１を含んでもよい。裏面ウェスト部２０は、裏面ウェストゴム生地部２１を含んでもよい。前面および裏面のウェストゴム生地部１１、２１は、吸収性物品１のウェストに弾性をもたらし、吸収性物品１が装着者とぴったりフィットし得る。当技術分野で知られているように、前面および裏面のゴム生地部１１、２１は、前面および裏面ウェスト部１０、２０を横断して延びて存在する１つまたは複数の細長い弾性要素で作られてもよい。本発明の他の例示的な実施形態では、前面または裏面ウェスト部１０、２０だけが、伸縮自在な部分を含んでもよい。同様に、股ゴム生地部３３は、股部３０を通して長手方向に延びて存在してもよく、吸収性物品の股領域にぴったりとしたフィットをもたらしてもよい。
【００１９】
本発明の例示的な実施形態では、第１の締結コンポーネント４０は、第１の側部前面パ
ネル１２の内側表面上に配設される。第２の締結コンポーネント４２は、第２の側部前面パネル１４の内側表面上に配設される。締結された構成の吸収性物品１の略平面図である図４に示すように、第１および第２の締結コンポーネント４０、４２は、第１および第２の側部前面パネル１２、１４を第１および第２の側部裏面パネル２２、２４に締結するために使用されてもよい。この構成では、吸収性物品１は、トレーニングパンツとして機能するために装着者のウェストの周りで引張り上げられてもよい。この点に関し、第１および第２の締結コンポーネント４０、４２は、締結された構成にあるときの吸収性物品１における第１および第２の側部シーム３１、３２を形成する。
【００２０】
本発明の例示的な実施形態では、第１および第２の締結コンポーネント４０、４２は、「ループレス（ｌｏｏｐ  ｌｅｓｓ）」締結システムの部品を形成する。すなわち、第１および第２の締結コンポーネント４０、４２は、Ｖｅｌｃｒｏ（登録商標）状フックを含む。Ｖｅｌｃｒｏ（登録商標）状フックは、第１および第２の側部裏面パネル２２、２４の外側不織布表面にそれぞれ貼着可能である。そのため、第１および第２の締結コンポーネント４０、４２のフックは、特別なランディング（ｌａｎｄｉｎｇ）領域を必要としない。代わりに、吸収性物品１の外側表面全体が、フック用のランディング領域として機能してもよく、装着者に対する吸収性物品１のフィッティングにおける柔軟性の程度の増加をもたらし得る。こうしたループレス締結システムは、その内容が参照により本明細書に組み込まれる、現在は放棄されている２００７年５月７日に出願された米国特許出願公開第２００３／０２２０６２６号および２００６年１１月３０日に出願された米国特許出願公開第２００８／０１３２８６７号に記載される。
【００２１】
図１に示すように、第１および第２の締結コンポーネント４０、４２はそれぞれ、１つまたは複数の有効締結部４１および１つまたは複数の非有効締結部４３を含む。以下でより詳細に述べられるように、非有効締結部４３は、吸収性物品１の外側表面に貼着されることができず、側部シーム３１、３２が効果的に断続的となる。断続的な側部シーム３１、３２は、ユーザが、自分の指を側部シーム３１、３２の一方の非有効部に突っ込み、第１および第２の側部裏面パネル２２、２４から第１および第２の締結コンポーネント４０、４２を引張って、側部シーム３１、３２を外すことを可能にする。各有効締結部４１は、長手方向の長さが、約１０〜５０ｍｍの範囲であってもよく、また、各非有効締結部４３は、長手方向の長さが、約５〜２５ｍｍであってもよい。本発明の好ましい実施形態では、断続的な側部シーム３１、３２は、反復パターンで、約１４ｍｍの長さの有効締結部４１および約６ｍｍの長さの非有効締結部４３を含む。非有効締結部４３の数は約４であってもよい。好ましい例示的な実施形態では、有効締結部４１の面積は、側部シーム３１、３２の総面積の約７０％未満を占め、しっかりした側部シームを提供することと、側部シームの分離を容易にすることとの関係において適切な均衡をもたらす。
【００２２】
第１の締結コンポーネント４０の構造は、ここで述べられる。第２の締結コンポーネント４２が第１の締結コンポーネント４０の構造と同じ構造を有してもよいことが理解されるはずであるため、第２の締結コンポーネント４２の説明はここでは省略される。図５Ａ〜５Ｃは、第１の締結コンポーネント４０の側面図である。第１の締結コンポーネント４０は、後部表面４６および前部表面４８を有するベース層４４を含む。ベース層４４は、たとえば不織布材料層またはポリマー材料層であってもよい。後部表面４６は、たとえば接着剤、超音波シーリング、または熱シーリングによって、第１の側部前面パネル１２の内側表面（または第２の締結コンポーネント４２の場合、第２の側部前面パネル１４の内側表面）に貼着されてもよい。第１の締結コンポーネント４０の前部表面４８は、１つまたは複数の有効締結部４１および１つまたは複数の非有効締結部４３を含む。この点に関し、図５Ａに示すように、フック要素５０は、有効締結部４１の範囲内で、第１の締結コンポーネント４０の前部表面４８から突出してもよい。一方、前部表面４８は、非有効締結部４３内でむきだしのまま（すなわち、フック要素がない状態）にされてもよい。別の
例示的な実施形態では、図５Ｂに示すように、フック要素５０は、第１の締結コンポーネント４０の前部表面４８全体から突出して前部表面４８全体を覆ってもよい。１つまたは複数の阻止層５２は、フック要素５０を覆って断続的に配設されて、非有効締結部４３を形成してもよい。阻止層５２は、たとえば不織布材料またはポリマーフィルム材料で作られてもよく、たとえば接着剤によってフック要素５０に貼着されてもよい。別の例示的な実施形態では、図５Ｃに示すように、フック要素５０は、第１の締結コンポーネント４０の前部表面４８全体から突出して前部表面４８全体を覆ってもよい。フック要素５２は、非有効締結部４３の範囲内で変形し、第１の側部裏面パネル２２に貼着できないようにされる。たとえば、非有効締結部４３の範囲内のフック要素５０は、フックが、開放されるか、またはその他の方法で使用不可能にされる点で損傷があってもよい。
【００２３】
表面シート９０は、液体の通過を可能にする、当技術分野で現在知られており、または、後に発見される任意の適した比較的液体浸透性のある材料で作られてもよい。適した表面シート材料の例は、ポリプロピレン、ポリウレタン、ナイロン、ポリエステル、およびこれらの材料の混合物の不織布、スパンボンデッド布、または台紙付き布、あるいは、穿孔フィルム、開口フィルム、または網状フィルム、および同様なものを含む。不織布材料は例示であり、こうした材料は、下にある収集層７２への液体の通過、および収集層７２を介しての吸収性コア７４への液体の通過を容易に可能にする。表面シート９０は、好ましくは、単一層の不織布材料から形成される。不織布材料は、ハイドロエンタングルメント加工（ｈｙｄｒｏｅｎｔａｎｇｌｅｄ）され、熱結合したスパンボンデッド繊維、スパンボンド−メルトブロー−スパンボンドまたは繊維から作られてもよい。不織布材料は、たとえば１０〜３０グラム／平方メートルの基本重量を有し、適切な強度および軟質性を有し、人間の皮膚に接触するであろう用途で表面シートとして使用される。表面シート９０は、その表面シート９０を通り吸収性アセンブリ７０の内部への水分の通過を容易にするために表面シートを親水性にする界面活性剤で処理されてもよい。本発明は、表面シート９０について任意の特定の材料に限定されることを意図されず、他の表面シート材料が、当業者に容易に明らかになるであろう。
【００２４】
収集／分散層７２は、合成材料あるいは天然材料、または両方の組合せで作られた単相または複数層であってもよく、あるいは単一の多層開口フィルムであってもよい。収集／分散層７２は、排出された身体からの流体を吸収性コア７４に急速に収集させ分散させるのに役立つ。こうした流体は、通常、噴出するように排出されるため、流体の排出点に近い吸収性コア７４のエリアは、その流量によって液体が溢れ、漏れを生じる可能性がある。したがって、収集／分散層７２は、排出点からその排出点の表面エリアにわたる流体の輸送を容易にして、流体がそこからより容易に吸収され得る吸収性コア７４の他の部分に接触する。収集／分散層の使用は、当技術分野ではよく知られている。したがって、吸収性物品１の収集／分散層７２は、任意のよく知られているか、または、まだ発見されていない構造を有してもよい。あるいは、吸収性コア２６は、共に参照により組み込まれるＣｈｍｉｅｌｅｗｓｋｉの米国特許第６，０６８，６２０号および第６，６４６，１８０号に開示される構造を有してもよい。
【００２５】
吸収性コア７４は、一般に、圧縮性があり、装着者の身体の形状に適合し、また、装着者による通常の動きを妨げない任意の吸収性材料であってもよく、また、尿およびいくつかの他の身体漏出液などの液体を収集し保持することが可能である。吸収性コア７４は、いろいろなサイズおよび形状（たとえば、長方形、砂時計形、「Ｔ」形状、非対称など）で、また、使い捨てオムツおよびたとえば木材パルプ綿毛（ｗｏｏｄ  ｐｕｌｐ  ｆｌｕｆｆ）などの他の吸収性物品において一般に使用される種々の液体吸収性材料から製造されてもよい。他の適した吸収性材料の例は、クレープトセルロースワディング（ｃｒｅｐｅｄ  ｃｅｌｌｕｌｏｓｉｃ  ｗａｄｄｉｎｇ）、メルトブロー処理されたポリマー、化学的に硬化されるか、変質されるか、または架橋されたセルロース繊維、織物ラップおよ
び織物ラミネートを含む織物、吸収性フォーム、吸収性スポンジ、超吸収性ポリマー、吸収性ゲル材料、または任意の同等な材料、あるいは材料の組合せを含む。
【００２６】
吸収性コア７４の構成および構造もまた多様であってもよい（たとえば、吸収性コアは、多様なキャリパーゾーン、親水性勾配、吸収性ゲル化材料勾配、または、低平均密度および低平均基本重量収集ゾーンを有してもよく、あるいは、１つまたは複数の層または構造、すなわち、シートおよび布を含む部材を備えてもよい。さらに、各部材は、単一の単位ピースの材料で形成される必要はなく、互いに流体が連通している限り、長さ方向または幅方向に互いに結合された多数の小さなストリップまたはコンポーネントで形成されてもよい。）しかし、吸収性コア７４の総合吸収能力は、設計負荷および吸収性物品１の意図される使用に適合すべきである。さらに、吸収性コア７４のサイズおよび吸収能力は、幼児から成人に及ぶ装着者に対処するために多様であってもよい。
【００２７】
裏面シート６０は、適切に柔軟性があり、かつ液体不浸透性のフィルムからなる内側層、および、液体および／または蒸気浸透性材料からなる外側層から構成されてもよい。裏面シート６０内側層用の典型的な材料は、ポリエチレン、ポリプロピレン、ポリエステル、ナイロン、およびポリ塩化ビニル、ならびにこれらの材料の混合物のフィルムを含む。たとえば、内側層は、０．５〜２．０ミルの範囲の厚さを有するポリエチレンフィルムで作られてもよい。他の裏面シート内側層材料は、当業者に容易に明らかになる可能性がある。裏面内側シートは、好ましくは、流体のどんな漏洩をも防止するために、十分な液体不浸透性を有する。要求される液体不浸透性のレベルは、吸収性物品１における異なる場所同士の間で様々であってもよい。したがって、裏面内側シートは、蒸気浸透性または多層状にされ、液体不浸透性の程度は様々であってもよい。
【００２８】
裏面シート６０の外側層は、液体および／または蒸気浸透性材料で作られてもよい。液体および／または蒸気浸透性材料は、表面シートが選択される群と同じ材料群から選択されてもよい。裏面シート６０の内側層は、たとえば５〜４５グラム／平方メートルの基本重量を有してもよい。しかし、表面シート９０と違って、裏面シート６０の外側層のために使用される材料は、好ましくは、表面シート９０に関して先に述べられた界面活性剤を省くことによって疎水性にされる。裏面シート６０の外側層は、熱ボンディング、化学ボンディング、スパンボンディング、およびハイドロエンタングルメントなどのよく知られている方法によって、または、スパンボンディングとハイドロエンタングルメントの組合せによって製造されてもよい。
【００２９】
裏面シート６０は、好ましくは、吸収性アセンブリ７０の寸法と同じまたはそれより大きい長手方向寸法を有する。同様に、少なくとも裏面シート６０の内側層の横方向寸法は、好ましくは、吸収性アセンブリ７０の寸法より大きい。この点で、先に述べたように、裏面シート６０の内側層と外側層との両方、または外側層だけが、吸収性アセンブリ７０を超えて延びて存在して、第１および第２の側部前面パネル１２、１４ならびに第１および第２の側部後面パネル２２、２４を形成してもよい。
【００３０】
吸収性アセンブリ７０は、従来の接着剤などにより表面シート９０の周縁を裏面シート６０の内側層に接着することによって、または、コンポーネントを互いに熱あるいは超音波で接合することによって内蔵されてもよい。こうした構造では、収集／分散層７２および吸収性コア７４は、裏面シート６０と表面シート９０の内側層によって形成されるパッケージ内に収容される。吸収性アセンブリ７０は、その後、裏面シート６０の外側層に接着されてもよい。あるいは、裏面シート６０と表面シート９０との間で、その表面シート９０によって吸収性アセンブリ７０のコンポーネントが固定されるように、表面シート９０は、裏面シート６０の外側層に直接接着されてもよい。
【００３１】
本発明の特定の実施形態が示され述べられたが、本発明の趣旨および範囲から逸脱することなく、種々の他の変更および修正が行われ得ることが当業者に明らかであることになる。したがって、本発明の範囲内にある全てのこうした変更および修正を、添付の特許請求の範囲に包含することが意図される。
【図３】
0005592404.tif 000002
【図５Ａ】
0005592404.tif 000003
【図５Ｂ】
0005592404.tif 000004
【図５Ｃ】
0005592404.tif 000005
【図１】
0005592404.tif 000006
【図２】
0005592404.tif 000007
【図４】
0005592404.tif 000008